(57)【要約】  【課題】  臓器、血液、体液、汚物等が解剖室全体に拡散しにくく解剖室が清潔に保たれる構造の切出し台を提供する。  【解決手段】  人体等を解剖する解剖台に密着して配設された、上方開放した平坦部からなる臓器等を載置するトップ１を有し、このトップ１は汚水槽に向かってわずかに傾斜しており、このトップ１を外包し上方へ突出して当該トップ１の側壁をなし上面が内側に向かって低くなっている側壁部２１と、当該トップ１の一端に窪みをなす汚水槽２を有し、これらトップ１、汚水槽２及び側壁部２１は一枚のステンレス鋼板をプレス成形したことにより継目のない一体構造からなることを特徴とする切出し台である。  【選択図】  図１
2006130193.tif 000002
【特許請求の範囲】
【請求項１】
人体等を解剖する解剖台に密着して配設された、上方開放した平坦部からなる臓器等を載置するトップ１を有し、このトップ１は汚水槽に向かってわずかに傾斜しており、このトップ１を外包し上方へ突出して当該トップ１の側壁をなし上面が内側に向かって低くなっている側壁部２１と、当該トップ１の一端に窪みをなす汚水槽２を有し、これらトップ１、汚水槽２及び側壁部２１は一枚のステンレス鋼板をプレス成形したことにより継目のない一体構造からなることを特徴とする切出し台。
【請求項２】
トップ１はその汚水槽２の反対側の端に一列に配設されたテーブルシャワー５を有し、該テーブルシャワー５より噴出する水によってトップ１の上面が満遍なく濡れかつ洗い流されることを特徴とする請求項１に記載の切出し台。
【請求項３】
汚水槽２のトップ１の平坦部側にシンクシャワー６が一列に設けられ、かつその汚水槽２の反対側に汚水槽洗浄用給水口７を有し、かつシンクシャワー６及び汚水槽洗浄用給水口７はフットスイッチ１３によって給水または給水停止されることによって汚水槽２が洗浄されることを特徴とする請求項２に記載の切出し台。
【発明の詳細な説明】
【技術分野】
【０００１】
本発明は、解剖室、手術室、治療室、あるいは医療用の実験動物施設（一般にアニマル・センターと呼ばれているもの）の解剖に供される解剖台に隣接した切出し台に関する。
【背景技術】
【０００２】
解剖学においては肉眼解剖の研究、教育のために、また法医学においては異状死体及び死因不明のものの死因を明らかにするために、解剖が行われる。また、病理学においては、病院で死亡した際の病因究明や治療効果の検索のために解剖が行われる。
【０００３】
これら解剖に用いられている従来の解剖台においては被剖検体より切出された臓器等の汚物をトレイ等にいったん積み込み、解剖室の隅に設けられた従来の切出し台までそのトレイを持って行き、フォルマリン溶液が入れられた保存容器中に保存するか、または汚物流しに捨てる等の処理がなされていた。
【発明の開示】
【発明が解決しようとする課題】
【０００４】
しかし、解剖台廻りに飛散した臓器、血液、体液、汚物等が剖検者等の衣服面を伝って解剖台の外の床面へ散乱する。これによって、解剖台の床面を汚し、かつ従来の切出し台まで歩き回る剖検者及び作業者の履物でさらに汚れが拡大する。このため、清掃消毒作業の時間が増大し、また臓器、血液、体液、汚物や病原体が解剖室の外部へ拡散する危険性も極めて大きいという問題点がある。特に、ＡＩＤＳ、Ｂ型Ｃ型肝炎、結核等の感染症の患者について解剖を行う場合には、上記問題は深刻である。
【０００５】
そこで、本発明の目的は、臓器、血液、体液、汚物等が解剖室全体に拡散しにくく解剖室が清潔に保たれる構造の切出し台を提供することにある。
【課題を解決するための手段】
【０００６】
上記目的は、請求項1に記載の切出し台、すなわち、人体等を解剖する解剖台に密着して配設された、上方開放した平坦凹部からなる臓器等を載置するトップ１を有し、このトップ１は汚水槽２に向かってわずかに傾斜しており、このトップ１を外包し上方へ突出して当該トップ１の側壁をなし、その上面が内側へ向かって低くなる側壁部２１と、当該トップ１の一端に窪みをなす汚水槽２を有し、これらトップ１、汚水槽２及び側壁部２１は一枚のステンレス鋼板をプレス成形したことにより継目のない一体構造からなることを特徴とする切出し台によって、達成される。
【０００７】
本発明の好ましい実施態様においては、請求項２に記載のように、トップ１はその汚水槽２の反対側の端に一列に配設されたテーブルシャワー５を有し、該テーブルシャワー５より噴出する水によってトップ１の上面が満遍なく濡れかつ洗われるようになっている。
【０００８】
さらに本発明の別の好ましい実施態様においては、汚水槽２のトップ１側にシンクシャワー６が一列にとりつけられ、かつその汚水槽２の反対側に汚水槽洗浄用給水口７を有し、かつシンクシャワー６及び汚水槽洗浄用給水口７はフットスイッチ１３によって給水または給水停止されることによって汚水槽２が洗浄される。
【０００９】
臓器、血液、体液、腸管内汚物等を解剖台より切出し台のトップ１の上または汚水槽２の内へ直接移載することにより解剖室内に飛散、散乱させることがなく、かつトップ１の勾配が汚水槽２に向かって傾斜しており、その上流側に一列に配設されたテーブルシャワー５から噴出される水によりトップ１上面が満遍なく濡れかつ洗い流され汚物は汚水槽２へ洗い流される。これによって血液、体液、汚物等が剖検者等の衣服に触れることがなくなり切出し台の周囲に散乱せず、解剖室の床等が汚損することがない。また吸気調整口１７より病原体のエアロゾルの解剖室内への拡散が防がれる。また汚水槽２内はシンクシャワー６及び汚水槽洗浄用給水口７によって適宜洗浄される。
【発明の効果】
【００１０】
解剖台に密着して切出し台が設置されているので、解剖台から切出し台へ臓器を移載する際に汚物や血液や体液等の拡散が完全に防げる。
【００１１】
また切出し台トップの側壁部がトップより高くかつ上面が内側に向かって高さが低くなっているため、血液、体液、汚物等が側壁部に溜ることがなく、したがって、切出し作業中に剖検者や作業者の衣服を伝って血液、体液、汚物等が切出し台の外へ流出散乱しにくくなる。よって、解剖室の床面等が清潔に保たれ、清掃消毒作業も容易になる。さらに、解剖室外への血液、体液、汚物等や病原体の拡散を防止することができる。さらに加えて側壁部及び汚水槽上部に水流出口を設けることによって、上記効果が確実に保障でき、解剖室の安全衛生がさらに向上する。
【発明を実施するための最良の形態】
【００１２】
本発明の実施形態について図１、図２及び図３を用いて説明する。図１、図２及び図３は、それぞれ本発明の実施形態に係る切出し台の平面図、側面図及び端面図である。１は切出し台のトップである。臓器及び汚物等は解剖台（図示せず）から移されてこのトップ1の上に載置される。汚物や臓器はこのトップ1の上で切断等されるが、この切出し台２０はそのトップ１は一段高い側壁部２１をもち、水が四囲にこぼれないようになっている。かつ切出し台２０は解剖台（図示せず）に隙間なく配設されており、解剖台から切出し台２０へ臓器等を移動する際には血液、体液等の解剖室内への飛散は完全に防止されるので解剖室床等への汚染が防げ、特に剖検体が感染症の場合の飛散防止効果は顕著かつ重要である。また側壁部２１、トップ１及び汚水槽２は一枚のステンレス鋼板より一体プレス成形されたもので、継目ない構造となっているので、継目からの血液、体液等の漏れ出しは完全に防がれている。
【００１３】
臓器や汚物はトップ１上で切断等し臓器の洗浄、腸管内の汚物の排出等を行い、排棄すべきものと、保存すべきものと分離し整理する。この際に血液、体液、汚物等が発生するが、切出し台のトップ１はわずかに汚水槽２の方向へ傾斜しており、テーブルシャワー５の水を出すと、この水はトップ1の上を洗い流して汚水槽２へ流れ込み、これによって上記した血液、体液等は汚水槽２へ洗い流される。
【００１４】
これら１，２、及び２１等構造物はキャビネット３によって支えられ、解剖台と切出し台の側壁部２１とが同じレベルになるよう支持されている。フットスイッチ１３を踏むことによりシンクシャワー６及び給水口７から水が噴射され汚水槽２の内部が洗浄され、その水は排水口８から血液、体液等とともに排出され、再び汚水槽２は清浄になる。
【００１５】
混合水栓9を開くと温水が噴出する。この水温は電源ボックス１４とサーモスタット１２によって制御される。この混合水栓９から噴出する水によって臓器の洗浄や腸管内の汚物の洗浄が行われる。
【００１６】
吸気調整口１７から吸い込まれた空気は排気ダクト１５に導かれ、ダクトチャンバス１６をへて消毒並びに室外排気される。これによってエアゾル化等した病原体が除去される。
【図面の簡単な説明】
【００１７】
【図１】本発明の実施形態に係る切出し台の平面図である。
【図２】本発明の実施形態に係る切出し台の長手方向を見た立面図である。
【図３】本発明の実施形態に係る切出し台の端面の立面図である。
【符号の説明】
【００１８】
１  トップ
２  汚水槽
３  キャビネット
４  点検扉
５  テーブルシャワー
６  シンクシャワー
７  汚水槽洗浄用給水口
８  排水口
９  混合水栓
１０  テーブルシャワー用止水栓
１１  散水栓
１２  サーモスタット
１３  フットスイッチ
１４  電源ボックス
１５  排気ダクト
１６  ダクトチャンバス
１７  吸気調整口
２０  切出し台
２１  側壁部
【図１】
2006130193.tif 000003
【図２】
2006130193.tif 000004
【図３】
2006130193.tif 000005